(57)【要約】【課題】開口部及び開口部近辺に設置された複数のセンサのからの信号を受信し、的確に屋外から宅内への侵入者の有無を検知する侵入検知装置を提供すること。【解決手段】本発明の侵入検知装置１１は、開閉センサから開閉信号を入力する開閉検知手段１２と、人感センサから人感信号を入力する宅内人感検知手段１４と、開閉信号と人感信号の状況変化により侵入者の有無を判断する侵入判断手段１６と、侵入を検知した際に外部に警報出力する警報出力手段１３とを備え、侵入判断手段１６は人の存在を検知しない状況で、開口部の開放を検知した際に侵入者有りと判断する。【選択図】  図２
2004220242.tif 000002
【特許請求の範囲】
【請求項１】
開閉センサと接続され開口部の開閉状況を開閉検知手段と、前記開口部の宅内側を検知エリアとする人感センサと接続され人の存在状況を検知する宅内人感検知手段と、前記開閉状況と前記人の存在状況に基づき侵入者の有無を判断する侵入判断手段と、前記侵入判断手段の判断結果に基づき外部に警報出力する警報出力手段を備え、前記侵入判断手段は、前記人の存在を検知しない状況で、開口部の開放を検知した際に侵入者有りと判断することを特徴とする侵入検知装置。
【請求項２】
開閉センサと接続され開口部の開閉状況を開閉検知手段と、前記開口部の宅内側を検知エリアとする人感センサと接続され人の存在状況を検知する宅内人感検知手段と、前記開閉状況と前記人の存在状況に基づき侵入者の有無を判断する侵入判断手段と、前記侵入判断手段の判断結果に基づき外部に警報出力する警報出力手段を備え、前記侵入判断手段は、人の存在を検知しない状況で開口部の開放を検知した後、予め定められた一定時間内に人の存在を検知した際、侵入者有りと判断することを特徴とする侵入検知装置。
【請求項３】
開閉センサと接続され開口部の開閉状況を開閉検知手段と、前記開口部の屋外側を検知エリアとする人感センサと接続され人の存在状況を検知する屋外人感検知手段と、前記開閉状況と前記人の存在状況に基づき侵入者の有無を判断する侵入判断手段と、前記侵入判断手段の判断結果に基づき外部に警報出力する警報出力手段を備え、前記侵入判断手段は、人の存在を検知した状況で、開口部の開放を検知した際に侵入者有りと判断することを特徴とする侵入検知装置。
【請求項４】
開閉センサと接続され開口部の開閉状況を開閉検知手段と、前記開口部の屋外側を検知エリアとする人感センサと接続され人の存在状況を検知する屋外人感検知手段と、前記開閉状況と前記人の存在状況に基づき侵入者の有無を判断する侵入判断手段と、前記侵入判断手段の判断結果に基づき外部に警報出力する警報出力手段を備え、前記侵入判断手段は、人の存在を検知した後、予め定められた一定時間内に開口部の開放を検知した際、侵入者有りと判断することを特徴とする請求項１に記載の侵入検知装置。
【請求項５】
開口部の宅内側を検知エリアとする人感センサと接続され宅内側の人の存在状況を検知する宅内人感検知手段と、前記開口部の屋外側を検知エリアとする人感センサと接続され屋外側の人の存在状況を検知する屋外人感検知手段と、前記宅内の人の存在状況と前記宅外の人の存在状況に基づき侵入者の有無を判断する侵入判断手段と、前記侵入判断手段の判断結果に基づき外部に警報出力する警報出力手段を備え、前記侵入判断手段は、屋外に人の存在を検知した後、予め定められた一定時間内に宅内に人の存在を検知した際、侵入者有りと判断することを特徴とする侵入検知装置。
【請求項６】
開口部の宅内側を検知エリアとする人感センサと接続され宅内側の人の存在状況を検知する宅内人感検知手段と、前記開口部の屋外側を検知エリアとする人感センサと接続され屋外側の人の存在状況を検知する屋外人感検知手段と、前記宅内の人の存在状況と前記宅外の人の存在状況に基づき侵入者の有無を判断する侵入判断手段と、前記侵入判断手段の判断結果に基づき外部に警報出力する警報出力手段を備え、前記宅内側人感センサの検知エリアと、前記屋外側の人感センサの検知エリアを一部重複させるとともに、前記侵入判断手段は、屋外側のみに人の存在を検知した後、屋外側と屋内側の双方に人の存在を検知し、次に屋内側のみに人の存在を検知した際、侵入者有りと判断することを特徴とする侵入検知装置。
【請求項７】
開口部の宅内側を検知エリアとする人感センサと接続され宅内側の人の存在状況を検知する宅内人感検知手段と、前記開口部の屋外側を検知エリアとする人感センサと接続され屋外側の人の存在状況を検知する屋外人感検知手段と、開閉センサと接続され開口部の開閉状況を開閉検知手段と、前記宅内の人の存在状況と前記宅外の人の存在状況と前記開口部の開閉状況に基づき侵入者の有無を判断する侵入判断手段と、前記侵入判断手段の判断結果に基づき外部に警報出力する警報出力手段を備えたことを特徴とする侵入検知装置。
【発明の詳細な説明】
【０００１】
【発明の属する技術分野】
本発明は、建物の開口部から侵入する侵入者を検知する侵入検知装置に関するものである。
【０００２】
【従来の技術】
従来の侵入検知装置は、例えば、開口部に設置された開閉センサの出力信号に基づき警報出力するものがある。また、さらにこの警報出力に基づき、外部機関に自動通報するシステムも実用化されている。
【０００３】
【特許文献１】
特開２００２−８１６８号公報（図１）
【０００４】
【発明が解決しようとする課題】
しかしながら、この従来の侵入検知装置には、次のような問題があった。
【０００５】
例えば、宅内側から窓を開けた際に、誤って侵入者と誤検知したり、あるいは、建物に近い道路を歩いている人を、侵入者と誤検知したりすることがあった。さらに、侵入検知装置の警報出力を利用し、外部の警備機関に自動通報する場合には、誤報となり、警備業務に支障を与えていた。
【０００６】
本発明は、このような従来の問題を解決するためになされたもので、開口部から侵入する侵入者の有無を的確に判断し、警報出力する侵入検知装置を提供するものである。
【０００７】
【課題を解決するための手段】
請求項１に記載の発明は、開閉センサと接続され開口部の開閉状況を開閉検知手段と、前記開口部の宅内側を検知エリアとする人感センサと接続され人の存在状況を検知する宅内人感検知手段と、前記開閉状況と前記人の存在状況に基づき侵入者の有無を判断する侵入判断手段と、前記侵入判断手段の判断結果に基づき外部に警報出力する警報出力手段を備え、前記侵入判断手段は、前記人の存在を検知しない状況で、開口部の開放を検知した際に侵入者有りと判断するものである。
【０００８】
従って、開口部の開閉状況と宅内側の人の存在状況に応じて、的確に侵入者を検知することができる。
【０００９】
また、請求項２に記載の発明は、開閉センサと接続され開口部の開閉状況を開閉検知手段と、前記開口部の宅内側を検知エリアとする人感センサと接続され人の存在状況を検知する宅内人感検知手段と、前記開閉状況と前記人の存在状況に基づき侵入者の有無を判断する侵入判断手段と、前記侵入判断手段の判断結果に基づき外部に警報出力する警報出力手段を備え、前記侵入判断手段は、人の存在を検知しない状況で開口部の開放を検知した後、予め定められた一定時間内に人の存在を検知した際、侵入者有りと判断するものである。
【００１０】
従って、開口部の開閉状況と宅内側の人の存在状況に応じて、的確に侵入者を検知することができる。
【００１１】
また、請求項３に記載の発明は、開閉センサと接続され開口部の開閉状況を開閉検知手段と、前記開口部の屋外側を検知エリアとする人感センサと接続され人の存在状況を検知する屋外人感検知手段と、前記開閉状況と前記人の存在状況に基づき侵入者の有無を判断する侵入判断手段と、前記侵入判断手段の判断結果に基づき外部に警報出力する警報出力手段を備え、前記侵入判断手段は、人の存在を検知した状況で、開口部の開放を検知した際に侵入者有りと判断するものである。
【００１２】
従って、開口部の開閉状況と屋外側の人の存在状況に応じて、的確に侵入者を検知することができる。
【００１３】
また、請求項４に記載の発明は、開閉センサと接続され開口部の開閉状況を開閉検知手段と、前記開口部の屋外側を検知エリアとする人感センサと接続され人の存在状況を検知する屋外人感検知手段と、前記開閉状況と前記人の存在状況に基づき侵入者の有無を判断する侵入判断手段と、前記侵入判断手段の判断結果に基づき外部に警報出力する警報出力手段を備え、前記侵入判断手段は、人の存在を検知した後、予め定められた一定時間内に開口部の開放を検知した際、侵入者有りと判断するものである。
【００１４】
従って、開口部の開閉状況と屋外側の人の存在状況に応じて、的確に侵入者を検知することができる。
【００１５】
また、請求項５に記載の発明は、開口部の宅内側を検知エリアとする人感センサと接続され宅内側の人の存在状況を検知する宅内人感検知手段と、前記開口部の屋外側を検知エリアとする人感センサと接続され屋外側の人の存在状況を検知する屋外人感検知手段と、前記宅内の人の存在状況と前記宅外の人の存在状況に基づき侵入者の有無を判断する侵入判断手段と、前記侵入判断手段の判断結果に基づき外部に警報出力する警報出力手段を備え、前記侵入判断手段は、屋外に人の存在を検知した後、予め定められた一定時間内に宅内に人の存在を検知した際、侵入者有りと判断するものである。
【００１６】
従って、宅内側の人の存在状況と屋外側の人の存在状況に応じて、的確に侵入者を検知することができる。
【００１７】
また、請求項６に記載の発明は、開口部の宅内側を検知エリアとする人感センサと接続され宅内側の人の存在状況を検知する宅内人感検知手段と、前記開口部の屋外側を検知エリアとする人感センサと接続され屋外側の人の存在状況を検知する屋外人感検知手段と、前記宅内の人の存在状況と前記宅外の人の存在状況に基づき侵入者の有無を判断する侵入判断手段と、前記侵入判断手段の判断結果に基づき外部に警報出力する警報出力手段を備え、前記宅内側人感センサの検知エリアと、前記屋外側の人感センサの検知エリアを一部重複させるとともに、前記侵入判断手段は、屋外側のみに人の存在を検知した後、屋外側と屋内側の双方に人の存在を検知し、次に屋内側のみに人の存在を検知した際、侵入者有りと判断するものである。
【００１８】
従って、宅内側の人の存在状況と屋外側の人の存在状況に応じて、的確に侵入者を検知することができる。
【００１９】
また、請求項７に記載の発明は、開口部の宅内側を検知エリアとする人感センサと接続され宅内側の人の存在状況を検知する宅内人感検知手段と、前記開口部の屋外側を検知エリアとする人感センサと接続され屋外側の人の存在状況を検知する屋外人感検知手段と、開閉センサと接続され開口部の開閉状況を開閉検知手段と、前記宅内の人の存在状況と前記宅外の人の存在状況と前記開口部の開閉状況に基づき侵入者の有無を判断する侵入判断手段と、前記侵入判断手段の判断結果に基づき外部に警報出力する警報出力手段を備えたものである。
【００２０】
従って、開口部の開閉状況と宅内側の人の存在状況と屋外側の人の存在状況に応じて、的確に侵入者を検知することができる。
【００２１】
【発明実施の形態】
以下、本発明の実施の形態について、図面を用いて説明する。
【００２２】
図１は、本発明の侵入検知装置が用いられる侵入報知システムの基本構成図を示す。
【００２３】
図１において、１は侵入検知装置であり、開閉センサ８や人感センサ９と接続され、開閉信号８ａ、人感信号９ａを入力する。開閉センサ８としては、例えば、ガラス窓側に磁石を設置し、窓枠側には磁気に反応するリードスイッチを設置し、窓の開閉を検知するもの等を利用する。また、人感センサ９としては、例えば、人体が発する熱線を検知することで人の存在を検知するもの等を利用する。
【００２４】
侵入検知装置１は、開閉信号８ａと人感信号９ａより侵入者の有無を判断し、侵入者有りと判断された場合は外部機器１０に対し警報出力１０ａを行なう。外部機器としては、警報音を報知する音響装置や警備機関への通報機等が接続される。尚、外部機器には、警戒する必要のない場合には報知や通報の機能を止めることができるものが多い。
【００２５】
これらの侵入報知システムは、例えば留守宅の防犯用に用いられ、留守宅の窓や扉が開いたり、或いは、留守宅内で人の存在を検知した際に侵入者がいるものとして、報知や通報を行なうものである。
【００２６】
（実施例１）
図２は、本発明の第１の実施例における侵入検知装置１１のブロック図を示す。
【００２７】
図２に示すように、この第１の実施例の侵入検知装置１１は、開口部に設置される開閉センサ８からの開閉信号８ａを入力する開閉検知手段１２と、開口部の宅内側に検知エリアのある人感センサ９からの人感信号９ａを入力する宅内人感検知手段１４と、侵入者の発生を警報出力する警報出力手段１３と、開閉検知手段１２から開口部の開閉状況を示す開閉検知信号１２ａを入力するとともに、宅内人感検知手段１４から開口部の宅内側の人の存在状況を示す宅内人感検知信号１４ａを入力し、開口部の開閉状況と宅内側の人の存在状況から侵入者の有無を判断する侵入判断手段１６とから構成される。侵入判断手段１６は侵入者有りと判断した場合、警報出力指示１６ａを警報出力手段１３に出力し、警報出力手段１３は接続された外部機器に対し、警報出力１０ａを出力する。
【００２８】
次に、第１の実施例の侵入検知装置１１に接続されるセンサの設置例について説明する。
【００２９】
図３は、第１の実施例の侵入検知装置１１に接続されるセンサを窓周辺に設置した場合の設置例を示す。
【００３０】
図３に示すように、開閉センサ８は左右それぞれの窓に設置され、どちらか一方、或いは、双方の窓が開けられた場合、窓の開放を検知できるようにしており、また、宅内側から開けた場合も、屋外側から開けた場合も同様に開放を検知する。
【００３１】
人感センサ９は窓の宅内側に検知エリア９ｂが来るように設置する。この例では、窓の上部に設置しているが、検知エリアが窓の宅内側周辺であればどこに設置しても構わない。
【００３２】
次に、第１の実施例の侵入検知装置１１における侵入判断手順について説明する。
【００３３】
図４は、第１の実施例の侵入検知装置１１における侵入判断手順を示す。
【００３４】
図４では、開口部の開閉状況と人の存在状況を時間経過とともに表現している。第１の実施例の侵入検知装置１１では、図４の判断手順１に示すように、時刻ｔ１に人の存在を検知し、次に開口部の開放を検知した場合は、侵入者ありと判断しない。これは、宅内側から人が窓に近寄り、窓を開けたものと判断されるからである。逆に、時刻ｔ３では人の存在を検知せずに開口部の開放を検知しているため、屋外から窓を開放したもので、侵入だと判断する。
【００３５】
また、図４の判断手順２では、時刻ｔ３に窓の開放を検知した後、予め定められた時間△ｔ内の時刻ｔ４に人の存在を検知しているため、屋外から窓を開放し、その窓から人が宅内に入ったものとし、侵入だと判断する。判断手順１を採用し、警報音等を報知する場合には侵入を未然に防ぐ効果が得られる。また、判断手順２を採用した場合は、より確実な侵入者の検知が行える。
【００３６】
（実施例２）
図５は、本発明の第２の実施例における侵入検知装置２１のブロック図を示す。
【００３７】
図５に示すように、この第２の実施例の侵入検知装置２１は、開口部に設置される開閉センサ８からの開閉信号８ａを入力する開閉検知手段２２と、開口部の屋外側に検知エリアのある人感センサ９からの人感信号９ａを入力する屋外人感検知手段２５と、侵入の発生を警報出力する警報出力手段２３と、開閉検知手段２２から開口部の開閉状況を示す開閉検知信号２２ａを入力するとともに、屋外人感検知手段２５から開口部の宅内側の人の存在状況を示す宅内人感検知信号２５ａを入力し、開口部の開閉状況と屋外側の人の存在状況から侵入者の有無を判断する侵入判断手段２６とから構成される。侵入判断手段２６は侵入者が「有」と判断した場合、警報出力指示２６ａを警報出力手段２３に出力し、警報出力手段２３は接続された外部機器に対し、警報出力１０ａを出力する。
【００３８】
次に、第２の実施例の侵入検知装置２１に接続されるセンサの設置例について説明する。
【００３９】
図６は、第２の実施例の侵入検知装置２１に接続されるセンサを窓周辺に設置した場合の設置例を示す。
【００４０】
図６において、開閉センサ８は図３と同様に設置される。人感センサ９は窓の屋外側に検知エリア９ｂが来るように設置する。この例では、窓の上部に設置しているが、検知エリアが窓の屋外側周辺であればどこに設置しても構わない。
【００４１】
次に、第２の実施例の侵入検知装置２１における侵入判断手順について説明する。
【００４２】
図７は、第２の実施例の侵入検知装置２１における侵入判断手順を示す。
【００４３】
図７では、開口部の開閉状況と人の存在状況を時間経過とともに表現している。第２の実施例の侵入検知装置２１では、図７の判断手順１に示すように、人の存在を検知することなく、時刻ｔ１に開口部の開放を検知した場合は、侵入者有りだと判断しない。これは、宅内側から人が窓を開けたものと判断されるからである。逆に、時刻ｔ２で人の存在を検知した後、ｔ３で開口部の開放を検知した場合は、屋外から窓を開放したもので、侵入者有りだと判断する。
【００４４】
また、判断手順２に示すように、時刻ｔ４で人の存在を検知した後、予め定められた時間△ｔ内の時刻ｔ５に開口部の開放を検知した場合は、侵入者有りと判断するようにすれば、施工の都合等で開口部直近に検知エリアを設定できない場合でも外部からの侵入者の検知を行なうことができる。
【００４５】
（実施例３）
図８は、本発明の第３の実施例における侵入検知装置３１のブロック図を示す。
【００４６】
図８に示すように、この第３の実施例の侵入検知装置３１は、開口部の宅内側に検知エリアのある人感センサ９−１からの人感信号９−１ａを入力する宅内人感検知手段３４と、開口部の屋外側に検知エリアのある人感センサ９−２からの人感信号９−２ａを入力する屋外人感検知手段３５と、侵入の発生を警報出力する警報出力手段３３と、屋内人感検知手段３４から開口部の宅内側の人の存在状況を示す宅内人感検知信号３４ａを入力するとともに、屋外人感検知手段３５から開口部の屋外側の人の存在状況を示す屋外人感検知信号３５ａを入力し、宅内側の人の存在状況と屋外側の人の存在状況から侵入者の有無を判断する侵入判断手段３６とから構成される。侵入判断手段３６は侵入者有りだと判断した場合、警報出力指示３６ａを警報出力手段３３に出力し、警報出力手段３３は接続された外部機器に対し、警報出力１０ａを出力する。
【００４７】
次に、第３の実施例の侵入検知装置３１に接続されるセンサの設置例について説明する。
【００４８】
図９は、第３の実施例の侵入検知装置３１に接続されるセンサを窓周辺に設置した場合の設置例を示す。
【００４９】
図９は開口部の断面図で、図の右側が宅内、図の左側が屋外を示す。
【００５０】
図９の設置例１では、宅内側人感センサ９−１は開口部の宅内側に検知エリア９−１ｂが来るように設置する。また、屋外側人感センサ９−２は開口部の屋外側に検知エリア９−２ｂが来るように設置している。
【００５１】
また、図９の設置例２では、宅内側人感センサ９−１の検知エリア９−１ｂと、屋外側人感センサ９−２の検知エリア９−２ｂが一部重なる用に設置している。
【００５２】
次に、第３の実施例の侵入検知装置３１における侵入判断手順について説明する。
【００５３】
図１０は、第３の実施例の侵入検知装置３１における侵入判断手順を示す。
【００５４】
図１０では、宅内と屋外の人の存在状況を時間経過とともに表現している。第３の実施例の侵入検知装置３１では、判断手順１に示すように、時刻ｔ１に宅内に人の存在を検知した後、屋外に人の存在を検知した場合は、侵入者有りだと判断しない。これは、例えば宅内側から人が窓に体を乗り出したものと判断されるからである。逆に、時刻ｔ３で屋外側に人の存在を検知した後、時刻ｔ４に宅内側に人の存在を検知した場合は、侵入者有りだと判断する。
【００５５】
また、屋外側人感センサを複数の開口部で共用するような場合で、検知エリアを開口部の直近に設置できない場合は、判断手順２に示すように、屋外側で人の存在を検知してから、一定時刻△ｔ内に宅内側で人の存在を検知した場合に侵入者有りだと判断しても良い。
【００５６】
また、図９の設置例２の様に、宅内側人感センサと屋外側人感センサの検知エリアを重複できる場合は、判断手順３に示すように、時刻ｔ７に屋外側に人の存在を検知し、次に、時刻ｔ８に宅内側でも人の存在を検知し、そして、時刻ｔ９で屋外側で人の存在を検知しなくなった際に、侵入者有りだと判断できる。
【００５７】
これは、屋外から開口部を通って宅内に人が侵入したと判断できるためである。
【００５８】
（実施例４）
図１１は、本発明の第４の実施例における侵入検知装置４１のブロック図を示す。
【００５９】
図１１に示すように、この第４の実施例の侵入検知装置４１は、開口部に設置される開閉センサ８からの開閉信号８ａを入力する開閉検知手段４２と、開口部の宅内側に検知エリアのある人感センサ９−１からの人感信号９−１ａを入力する宅内人感検知手段４４と、開口部の屋外側に検知エリアのある人感センサ９−２からの人感信号９−２ａを入力する屋外人感検知手段４５と、侵入の発生を警報出力する警報出力手段４３と、開閉検知手段４２から開口部の開閉状況を示す開閉検知信号４２ａを入力するとともに、屋内人感検知手段４４から開口部の宅内側の人の存在状況を示す宅内人感検知信号４４ａを入力し、また、屋外人感検知手段４５から開口部の屋外側の人の存在状況を示す屋外人感検知信号４５ａを入力し、開口部の開閉状況と宅内側の人の存在状況と屋外側の人の存在状況から侵入者の有無を判断する侵入判断手段４６とから構成される。侵入判断手段４６は侵入者有りだと判断した場合、警報出力指示４６ａを警報出力手段４３に出力し、警報出力手段４３は接続された外部機器に対し、警報出力１０ａを出力する。
【００６０】
次に、第４の実施例の侵入検知装置４１に接続されるセンサの設置例について説明する。
【００６１】
図１２は、第４の実施例の侵入検知装置４１に接続されるセンサを窓周辺に設置した場合の設置例を示す。
【００６２】
図１２は開口部の断面図で、図の右側が宅内、図の左側が屋外を示す。
【００６３】
図１２において、開閉センサ８は図３同様に設置される。また、宅内側人感センサ９−１と、屋外側人感センサ９−２は図９の設置例１と同様に設置される。
【００６４】
次に、第４の実施例の侵入検知装置４１における侵入判断手順について説明する。
【００６５】
図１３は、第４の実施例の侵入検知装置４１における侵入判断手順を示す。
【００６６】
図１４では、開口部の開閉状況と、宅内と屋外の人の存在状況を時間経過とともに表現している。第４の実施例の侵入検知装置４１では、判断手順に示すように、時刻ｔ１に屋外に人の存在を検知した後、時刻ｔ２に開口部の開放を検知し、続いて、時刻ｔ３に宅内に人の存在を検知した場合に、侵入だと判断する。これは、屋外から窓を開けて宅内に侵入したと判断されるからである。また、時刻ｔ４に屋外に人の存在を検知した後、時刻ｔ５に開口部の開放を検知し、続いて、時刻６に宅内に人の存在を検知し、さらに、屋外側で人の存在が検知できなくなった場合に、侵入だと判断しても良い。
【００６７】
【発明の効果】
以上のように、本発明によれば、開口部の開閉状況と人の存在状況により、侵入者の有無を判断するため、誤検知の少ない侵入検知装置を提供することができる。
【図面の簡単な説明】
【図１】本発明の侵入検知装置が用いられる侵入報知システムの基本構成図
【図２】本発明の第１の実施例における侵入検知装置のブロック図
【図３】本発明の第１の実施例における侵入検知装置に接続されるセンサの設置例を示す図
【図４】本発明の第１の実施例における侵入検知装置の侵入判断手順を示す図
【図５】本発明の第１の実施例における侵入検知装置のブロック図
【図６】本発明の第１の実施例における侵入検知装置に接続されるセンサの設置例を示す図
【図７】本発明の第１の実施例における侵入検知装置の侵入判断手順を示す図
【図８】本発明の第１の実施例における侵入検知装置のブロック図
【図９】本発明の第１の実施例における侵入検知装置に接続されるセンサの設置例を示す図
【図１０】本発明の第１の実施例における侵入検知装置の侵入判断手順を示す図
【図１１】本発明の第１の実施例における侵入検知装置のブロック図
【図１２】本発明の第１の実施例における侵入検知装置に接続されるセンサの設置例を示す図
【図１３】本発明の第１の実施例における侵入検知装置の侵入判断手順を示す図
【符号の説明】
１１、２１、３１、４１  侵入検知装置
１２、２２、４２  開閉検知手段
１３、２３、３３、４３  警報出力手段
１４、３４、４４  宅内人感検知手段
２５、３５、４５  屋外人感検知手段
【図１】
2004220242.tif 000003
【図２】
2004220242.tif 000004
【図３】
2004220242.tif 000005
【図４】
2004220242.tif 000006
【図５】
2004220242.tif 000007
【図６】
2004220242.tif 000008
【図７】
2004220242.tif 000009
【図８】
2004220242.tif 000010
【図９】
2004220242.tif 000011
【図１０】
2004220242.tif 000012
【図１１】
2004220242.tif 000013
【図１２】
2004220242.tif 000014
【図１３】
2004220242.tif 000015